(57)【要約】      （修正有）【課題】利用者に対して提供される経路の質を容易に評価できる評価装置を提供する。【解決手段】評価装置としての情報配信装置１０は、利用者による運転の特徴を示す特徴情報として、運転能力を示す情報を取得する取得部４２と、特徴情報が示す運転能力に基づいて、利用者が移動した経路の質を評価する評価部４３とを備える。運転能力が所定の閾値よりも高い場合は、経路の質を示すスコアの値を加点し、運転能力が所定の閾値より低い場合はスコアの値を減点する。【選択図】図２
2018101287.tif 000002
【特許請求の範囲】
【請求項１】
利用者の特徴を示す特徴情報を取得する取得部と、
前記特徴情報に基づいて、当該利用者が移動した経路の質を評価する評価部と
を有することを特徴とする評価装置。
【請求項２】
前記評価部は、所定の経路を移動した複数の利用者の特徴情報に基づいて、当該所定の経路の質を評価する
ことを特徴とする請求項１に記載の評価装置。
【請求項３】
前記取得部は、前記特徴情報として、前記利用者の運転能力を示す情報を取得し、
前記評価部は、前記特徴情報が示す運転能力に応じて、当該利用者が移動した経路の質を評価する
ことを特徴とする請求項１または２に記載の評価装置。
【請求項４】
前記評価部は、前記特徴情報が示す運転能力が所定の閾値よりも高い場合は、前記経路の質を示すスコアの値を加点し、前記特徴情報が示す運転能力が所定の閾値よりも低い場合は、前記経路の質を示すスコアの値を減点する
ことを特徴とする請求項３に記載の評価装置。
【請求項５】
前記評価部は、所定の経路を移動した複数の利用者のうち、前記特徴情報が示す運転能力が所定の閾値よりも高い利用者の数が所定の条件を満たす場合は、当該所定の経路の質を示すスコアの値を加点する
ことを特徴とする請求項３または４に記載の評価装置。
【請求項６】
前記取得部は、前記利用者の運転に関連する特徴に基づいて生成された運転能力を示す情報を取得する
ことを特徴とする請求項３〜５のうちいずれか１つに記載の評価装置。
【請求項７】
前記評価部は、所定の経路を所定の時間帯に移動した利用者の特徴情報に基づいて、当該所定の時間帯における経路の質を評価する
ことを特徴とする請求項１〜６のうちいずれか１つに記載の評価装置。
【請求項８】
前記取得部は、前記利用者の運転能力を示す特徴情報と、前記利用者の移動履歴とを取得し、
前記評価部は、前記特徴情報が示す運転能力が所定の閾値よりも低い利用者の移動履歴が、所定の経路において同じ区間を複数回移動した旨を示す場合は、当該所定の経路の質を示すスコアの値を減点する
ことを特徴とする請求項１〜７のうちいずれか１つに記載の評価装置。
【請求項９】
前記評価部は、前記特徴情報が示す運転能力が所定の閾値よりも高い利用者の移動履歴と、前記特徴情報が示す運転能力が所定の閾値よりも低い利用者の移動履歴とが、所定の経路において同じ区間を複数回移動した旨を示す場合は、当該所定の経路の質を示すスコアの値を第１所定値だけ減点し、前記特徴情報が示す運転能力が所定の閾値よりも高い利用者の移動履歴が、所定の経路において同じ区間を複数回移動した旨を示さない場合は、当該所定の経路の質を示すスコアの値を前記第１所定値よりも少ない第２所定値だけ減点する
ことを特徴とする請求項８に記載の評価装置。
【請求項１０】
前記取得部は、前記利用者の運転能力を示す特徴情報と、前記利用者が移動した速度の履歴とを取得し、
前記評価部は、前記特徴情報が示す運転能力が所定の閾値よりも高い利用者が所定の経路に含まれる所定の位置で移動速度を減速させ、かつ、前記特徴情報が示す運転能力が所定の閾値よりも低い利用者が前記所定の位置で移動速度を減速させていない場合は、当該所定の経路の質を示すスコアの値を減点する
ことを特徴とする請求項１〜９のうちいずれか１つに記載の評価装置。
【請求項１１】
前記取得部は、前記利用者が移動した速度の履歴をさらに取得し、
前記評価部は、所定の経路に含まれる所定の領域で、前記利用者が移動速度を減速させている場合は、当該所定の経路の質を示すスコアの値を減点する
ことを特徴とする請求項１〜１０のうちいずれか１つに記載の評価装置。
【請求項１２】
前記評価部は、前記所定の領域として、信号が設置されている領域または道路が曲線を描く領域以外の領域で、前記利用者が移動速度を減速させている場合は、当該所定の経路の質を示すスコアの値を減点する
ことを特徴とする請求項１１に記載の評価装置。
【請求項１３】
前記取得部は、利用者に対して所定の経路を提供した際に、新たな経路が選択し直されたか否かを示す情報を取得し、
前記評価部は、新たな経路が選択し直されていた場合は、当該所定の経路の質を示すスコアの値を減点する
ことを特徴とする請求項１〜１２のうちいずれか１つに記載の評価装置。
【請求項１４】
前記取得部は、所定の経路において生じた事故の履歴を示す情報を取得し、
前記評価部は、前記所定の経路において事故が生じた回数が所定の閾値を超える場合は、当該所定の経路の質を示すスコアの値を減点する
ことを特徴とする請求項１〜１３のうちいずれか１つに記載の評価装置。
【請求項１５】
前記取得部は、利用者が使用する端末装置から、当該利用者が所定の経路を移動中に生じる振動を示す情報を取得し、
前記評価部は、前記所定の経路を走行中に生じる振動が所定の閾値を超える場合は、当該所定の経路の質を示すスコアの値を減点する
ことを特徴とする請求項１〜１４のうちいずれか１つに記載の評価装置。
【請求項１６】
前記取得部は、前記利用者が移動した速度の履歴をさらに取得し、
前記評価部は、所定の経路に含まれる所定の領域で、前記利用者が移動速度を変化させた回数が所定の閾値を超える場合は、当該所定の経路の質を示すスコアの値を減点する
ことを特徴とする請求項１〜１５のうちいずれか１つに記載の評価装置。
【請求項１７】
前記評価部は、案内処理において当該経路を推奨する度合の指標となる数値を前記経路の質として算出する
ことを特徴とする請求項１〜１６のうちいずれか１つに記載の評価装置。
【請求項１８】
評価装置が実行する評価方法であって、
利用者の特徴を示す特徴情報を取得する取得工程と、
前記特徴情報に基づいて、当該利用者が移動した経路の質を評価する評価工程と
を含むことを特徴とする評価方法。
【請求項１９】
利用者の特徴を示す特徴情報を取得する取得手順と、
前記特徴情報に基づいて、当該利用者が移動した経路の質を評価する評価手順と
をコンピュータに実行させるための評価プログラム。
【発明の詳細な説明】
【技術分野】
【０００１】
本発明は、評価装置、評価方法及び評価プログラムに関する。
【背景技術】
【０００２】
従来、スマートフォン等の持ち運び可能な端末装置を用いて、利用者が乗車している車両を目的地まで案内するカーナビゲーション（以下、「案内」ともいう）の技術が知られている。このような技術の一例として、利用者の走行履歴に基づいて、所定の経路を走行した際の危険度を設定し、設定した危険度に応じて経路を提供する技術が知られている。
【先行技術文献】
【特許文献】
【０００３】
【特許文献１】特開２００８−１７５５７１号公報
【特許文献２】特開平１１−２１３２８２号公報
【特許文献３】特許第４９０２４６５号公報
【発明の概要】
【発明が解決しようとする課題】
【０００４】
しかしながら、上述した従来技術では、必ずしも適切な経路を提供しているとは言えない場合がある。
【０００５】
例えば、利用者に対して適切な経路を提供するため、非舗装区画や事故多発地点等といった路面の状況のみならず、安全運転が行われているか否か等といった各種経路の質を経路検索に反映させたいという要望が考えられる。しかしながら、各経路の質を実地検査で収集するには、手間がかかる。
【０００６】
本願は、上記に鑑みてなされたものであって、利用者に対して提供される経路の質を容易に評価することを目的とする。
【課題を解決するための手段】
【０００７】
本願に係る評価装置は、利用者の特徴を示す特徴情報を取得する取得部と、前記特徴情報に基づいて、当該利用者が移動した経路の質を評価する評価部とを有することを特徴とする。
【発明の効果】
【０００８】
実施形態の一態様によれば、利用者に対して提供される経路の質を容易に評価することができる。
【図面の簡単な説明】
【０００９】
【図１】図１は、実施形態に係る情報配信装置が発揮する作用効果の一例を説明するための図である。
【図２】図２は、実施形態に係る情報配信装置が有する機能構成の一例を説明する図である。
【図３】図３は、実施形態に係る特徴情報データベースに登録される情報の一例を示す図である。
【図４】図４は、実施形態に係る移動情報データベースに登録される情報の一例を示す図である。
【図５】図５は、実施形態に係る経路情報データベースに登録される情報の一例を示す図である。
【図６】図６は、実施形態に係る情報配信装置が利用者の特徴を示す特徴情報を取得する処理の流れの一例を示すフローチャートである。
【図７】図７は、実施形態に係る情報配信装置が実行する評価処理の流れの一例を示すフローチャートである。
【図８】図８は、実施形態に係る情報配信装置が実行する案内処理の流れの一例を示すフローチャートである。
【図９】図９は、ハードウェア構成の一例を示す図である。
【発明を実施するための形態】
【００１０】
以下に、本願に係る評価装置、評価方法及び評価プログラムを実施するための形態（以下、「実施形態」と呼ぶ。）について図面を参照しつつ詳細に説明する。なお、この実施形態により本願に係る評価装置、評価方法及び評価プログラムが限定されるものではない。また、以下の各実施形態において同一の部位及び処理には同一の符号を付し、重複する説明は省略される。
【００１１】
また、以下の説明では、評価装置の一例である情報配信装置１０が実行する選択処理の一例として、車両を運転する利用者に対して、目的地まで車両を運転する経路を提供する案内処理を実行する情報配信装置の一例について説明するが、実施形態は、これに限定されるものではない。例えば、情報配信装置１０は、歩行する利用者や自転車やバイク等といった任意の移動手段を用いて移動する利用者に対し、経路を提供する案内処理を行う際に、以下の選択処理を実行してもよい。
【００１２】
〔１．評価処理の概念〕
まず、図１を用いて、情報配信装置１０が実行する評価処理の概念について説明する。図１は、実施形態に係る情報配信装置が発揮する作用効果の一例を説明するための図である。例えば、情報配信装置１０は、サーバ装置やクラウドシステム等、単数または複数の情報処理装置により実現され、移動体通信網や無線ＬＡＮ（Local  Area  Network）等のネットワークＮを介して、利用者Ｕ０１〜Ｕ０４、Ｕ１０（以下、「利用者Ｕ」と総称する場合がある。）が使用する端末装置１０１〜１０４、１１０（以下、「端末装置１００」と総称する場合がある。）、および所定の外部サーバ２００と通信可能な情報処理装置である。なお、図１に示す例では、５つの端末装置１００を記載したが、情報配信装置１０は、任意の数の端末装置１００、および任意の数の外部サーバ２００と通信可能であってよい。
【００１３】
端末装置１００は、例えば、スマートフォン、タブレット端末やＰＤＡ（Personal  Digital  Assistant）等の移動端末、ノート型ＰＣ（Personal  Computer）等の情報処理装置である。なお、例えば、端末装置１００が車両内に設置して用いられる車載装置である場合、例えば、カーナビゲーションシステムの端末等により実現される。例えば、端末装置１０１は、利用者Ｕ０１によって利用される端末装置であり、端末装置１０２は、利用者Ｕ０２によって利用される端末装置であり、端末装置１０３は、利用者Ｕ０３によって利用される端末装置であり、端末装置１０４は、利用者Ｕ０４によって利用される端末装置であり、端末装置１１０は、利用者Ｕ１０によって利用される端末装置であるものとする。
【００１４】
外部サーバ２００は、利用者Ｕの運転力診断の結果を管理する情報処理装置であり、サーバ装置やクラウドシステム等により実現される。例えば、外部サーバ２００は、各利用者Ｕの運転能力を示すスコアである運転能力スコアを管理する。より具体的には、運転能力スコアは、保険料の算出等、任意の目的で用いられる運転能力の診断結果に基づく情報である。例えば、外部サーバ２００は、端末装置１００等から利用者Ｕが運転する際に生じた加速度、振動、移動方向等に基づいて、利用者Ｕによる運転態様を特定する。
【００１５】
そして、外部サーバ２００は、特定した運転態様について、急劇な加減速を行っているか否か、急なハンドル操作を行っているか否か、交通ルールを順守しているか否か、安全な運転を行っているか否か、所謂エコドライブを行っているか否か等、各種の判断基準に基づいて診断された利用者の運転能力を示すスコアを運転能力スコアとして算出する。
【００１６】
ここで、外部サーバ２００は、利用者Ｕの実際の運転内容のみならず、利用者Ｕの運転に関連する特徴に基づいて生成された運転能力を示す情報を管理する。例えば、外部サーバ２００は、利用者Ｕがそれまでに運転した総距離、優良運転者であるか、一般運転者であるか、違反運転者であるか等の運転免許の種別、免許を取得してから経過した期間、事故の履歴、運転する車両の種別等、各種利用者Ｕの運転に関連する特徴に基づいて、運転能力スコアを算出する。なお、外部サーバ２００は、年齢や性別等といったデモグラフィック属性や、趣味趣向や性格等といったバイオグラフィック属性に基づいて、運転能力スコアを算出してもよい。
【００１７】
ここで、利用者Ｕを所定の目的地まで案内する場合、端末装置１００は、ナビゲーションシステム等、所定のアプリケーションを実行することで、以下の案内処理を実行する。まず、端末装置１００は、ＧＰＳ（Global  Positioning  System）や地磁気を用いた各種の測位技術を用いて、現在位置を特定する。そして、端末装置１００は、特定した現在位置を出発地とし、利用者Ｕが入力した目的地までの経路を示す案内情報を要求する。そして、端末装置１００は、情報配信装置１０から案内情報を受付けた場合は、受付けた案内情報を用いて、利用者Ｕを目的地まで案内する案内処理を実行する。
【００１８】
例えば、端末装置１００は、車両が利用可能な目的地までの経路、経路に含まれる高速道路の情報、経路上の渋滞情報、案内の目印となる施設、画面上に表示する地図の情報、案内時に出力する音声や地図等の画像等のデータが含まれる案内情報を受付ける。また、端末装置１００は、各種の衛星測位システムを用いて、端末装置１００の現在位置を測位する。そして、端末装置１００は、案内情報に含まれる地図等の画像を液晶画面やエレクトロルミネッセンス、ＬＥＤ（Light  Emitting  Diode）画面等（以下、単に「画面」と記載する。）に表示すると共に、特定した現在地をその都度地図上に表示する。
【００１９】
なお、端末装置１００は、特定した現在地に応じて、左折や右折、使用する車線の変更、目的地への到着予定時間等を表示、若しくは、端末装置１００や車両のスピーカー等から音声により出力してもよい。なお、端末装置１００が実行する案内処理については、カーナビゲーションシステムや歩行者のナビゲーションシステム等、各種公知の案内処理に関する技術が適用可能であるものとして、詳細な説明を省略する。
【００２０】
情報配信装置１０は、端末装置１００から案内情報の要求を受付けると、利用者Ｕの現在位置を出発地とし、利用者Ｕが入力した目的地までの経路の中から、様々な要素に基づいて提供する経路を選択する。そして、情報配信装置１０は、特定した経路を示す案内情報を生成し、生成した案内情報を端末装置１００へと配信する。
【００２１】
ここで、案内処理において適切な経路を提供するため、非舗装区画や事故多発地点等といった路面の状況のみならず、安全運転が行われているか否か等といった各種経路の質を経路検索に反映させたいという要望が考えられる。しかしながら、各経路の質を実地検査で収集するには、手間がかかる。
【００２２】
〔２．実施形態に係る情報配信装置が実行する評価処理について〕
そこで、情報配信装置１０は、以下の評価処理を実行する。例えば、情報配信装置１０は、利用者の特徴を示す特徴情報を取得する。そして、情報配信装置１０は、特徴情報に基づいて、利用者が移動した経路の質を評価する。例えば、情報配信装置１０は、利用者が移動した経路が非舗装区画であるか否か、事故多発地点であるか否か、運転しやすい道であるか否か、周囲の車両が安全運転を行っているか否か等、案内処理において経路を推奨する度合の指標となる数値を経路の質として算出する。
【００２３】
以下、図を用いて、上述した評価処理を実現する情報配信装置１０の機能構成及び作用効果の一例を説明する。なお、以下の説明では、移動体として、利用者Ｕが自動車、自動二輪車、自転車等の各種の車両を運転する際の移動態様の特徴を特徴情報とする処理の一例について説明するが、実施形態は、これに限定されるものではない。以下の説明において、利用者Ｕや利用者Ｕが操作する車両等は、それぞれ移動体と読み替えてもよく、端末装置１００と読み替えてもよい。
【００２４】
〔２−１．機能構成の一例〕
図２は、実施形態に係る情報配信装置が有する機能構成の一例を説明する図である。図２に示すように、情報配信装置１０は、通信部２０、記憶部３０、および制御部４０を有する。通信部２０は、例えば、ＮＩＣ（Network  Interface  Card）等によって実現される。そして、通信部２０は、ネットワークＮと有線または無線で接続され、端末装置１００や外部サーバ２００との間で、質問や応答の送受信を行う。
【００２５】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、評価処理や案内処理を実行するための各種データである特徴情報データベース３１、移動情報データベース３２、経路情報データベース３３、および案内情報データベース３４を有する。以下、特徴情報データベース３１、移動情報データベース３２、経路情報データベース３３、および案内情報データベース３４に登録される情報の一例を説明する。
【００２６】
特徴情報データベース３１には、利用者の特徴を示す特徴情報が登録される。例えば、図３は、実施形態に係る特徴情報データベースに登録される情報の一例を示す図である。図３に示す例では、特徴情報データベース３１には、「利用者ＩＤ（Identifier）」、「利用者情報」、「運転能力スコア」、「走行距離」、「免許種別」、および「経過日数」といった情報が登録されている。なお、図３に示す情報以外にも、利用者Ｕの運転に関する情報を示す情報であれば、任意の情報が特徴情報データベース３１に登録されていてよい。
【００２７】
ここで、「利用者ＩＤ」は、利用者の識別子である。また、「利用者情報」とは、利用者の名前や年齢等といったデモグラフィック属性や趣味趣向等のサイコグラフィック属性等といった利用者に関連する各種の情報である。また、「運転能力スコア」は、対応付けられた利用者ＩＤが示す利用者の運転能力を示すスコアである。また、「走行距離」とは、対応付けられた利用者ＩＤが示す利用者が車両を運転（操作）して移動した距離の総和を示す情報である。また、「免許種別」とは、対応付けられた利用者ＩＤが示す利用者が有する車両の運転免許証の区分を示す情報であり、例えば、「優良運転者」、「一般運転者」、「違反運転者」、「初回更新者」等のいずれであるかを示す情報である。また、「経過日数」とは、対応付けられた利用者ＩＤが示す利用者が運転免許証を取得してから経過した期間を示す情報である。
【００２８】
例えば、図３に示す例では、利用者ＩＤ「利用者ＩＤ＃１」、利用者情報「利用者情報＃１」、運転能力スコア「９５」、走行距離「１０万キロ（メートル）」、免許種別「優良」、および経過日数「２０年」が対応付けて登録されている。このような情報は、利用者ＩＤ「利用者ＩＤ＃１」が示す利用者の情報が「利用者情報＃１」であり、運転能力のスコアが「９５」であり、走行距離の総和が「１０万キロ（メートル）」である旨を示す。また、このような情報は、利用者ＩＤ「利用者ＩＤ＃１」が示す利用者の免許種別が「優良」であり、運転免許を取得してから経過した日数が「２０年」である旨を示す。
【００２９】
なお、図３に示す例では、「利用者ＩＤ＃１」および「利用者情報＃１」といった概念的な値を記載したが、実際には、特徴情報データベース３１には、利用者を識別する文字列や、利用者の名前や年齢を示す情報が登録される。また、図３に示す情報のうち、「利用者情報」、「運転能力スコア」、「走行距離」、「免許種別」、「経過日数」等は、利用者ＩＤが示す利用者の特徴を示す特徴情報に対応する。
【００３０】
図２に戻り、説明を続ける。移動情報データベース３２には、端末装置１００から取得した移動情報が登録される。例えば、図４は、実施形態に係る移動情報データベースに登録される情報の一例を示す図である。図４に示す例では、移動情報データベース３２には、「移動情報ＩＤ（Identifier）」、「取得元端末ＩＤ」、「移動情報」、および「日時情報」といった情報が登録されている。なお、図４に示す情報以外にも、端末装置１００が取得可能な情報や、端末装置１００の移動に関する情報であれば、任意の情報が移動情報データベース３２に登録されていてよい。
【００３１】
ここで、「移動情報ＩＤ」は、移動情報の識別子である。また、「取得元端末ＩＤ」とは、移動情報の取得元となる端末装置の識別子である。なお、「取得元端末ＩＤ」は、端末装置１００を利用する利用者Ｕの識別子、すなわち、移動情報が示す移動経路を移動した利用者Ｕを示す識別子であってもよい。また、「移動情報」は、端末装置１００が移動した経路を示す情報であって、具体的には、端末装置１００が所定の時間間隔で取得した端末装置１００の位置を示す位置情報である。また、「日時情報」とは、対応付けられた位置情報が取得された日時を示す情報である。
【００３２】
例えば、図４に示す例では、移動情報データベース３２には、移動情報ＩＤ「移動情報＃１」、取得元端末ＩＤ「端末装置＃１」、移動情報「位置＃１−１〜位置＃１−２〜位置＃１−３〜位置＃１−４〜・・・」、および日時情報「2016/11/11/11：10〜2016/11/11/11：11〜2016/11/11/11：12〜2016/11/11/11：13〜・・・」が対応付けて登録されている。このような情報は、移動情報ＩＤ「移動情報＃１」が示す移動情報が、取得元端末ＩＤ「端末装置＃１」が示す端末装置１００の移動経路を示す移動情報であり、端末装置１００が取得した位置情報が、移動情報「位置＃１−１〜位置＃１−２〜位置＃１−３〜位置＃１−４〜・・・」であり、各位置情報が取得された日時が、日時情報「2016/11/11/11：10〜2016/11/11/11：11〜2016/11/11/11：12〜2016/11/11/11：13〜・・・」である旨を示す。
【００３３】
より概念的には、このような情報は、取得元端末ＩＤ「端末装置＃１」が示す端末装置１００が、日時情報「2016/11/11/11：10」から日時情報「2016/11/11/11：13」までの３分間の間に、位置情報「位置＃１−１」が示す位置から位置情報「位置＃１−２」が示す位置および位置情報「位置＃１−３」が示す位置を辿り、位置情報「位置＃１−４」に至った旨を示す。
【００３４】
図２に戻り、説明を続ける。経路情報データベース３３には、案内において用いられる各経路の特徴を示す経路情報が登録される。図５は、実施形態に係る経路情報データベースに登録される情報の一例を示す図である。図５に示す例では、経路情報データベース３３には、「経路情報ＩＤ」、「移動経路情報」、および「スコア」といった情報が登録されている。なお、図５に示す情報以外にも、経路に関する情報であれば、任意の情報が経路情報データベース３３に登録されていてよい。
【００３５】
ここで、「経路情報ＩＤ」は、経路情報の識別子である。また、「移動経路情報」とは、対応する経路情報と対応する経路を示す情報である。また、「スコア」とは、対応付けられた経路の質を示すスコアである。より具体的な例を挙げると、「スコア」は、利用者が移動した経路が非舗装区画であるか否か等といった路面に関連する情報や、事故多発地点を含むか否かや運転しやすい道であるか否か等といった経路の移動に関連する各種の情報、その経路を移動する車両が安全運転を行っているか否か等という経路を用いる利用者の移動態様に関連する情報等、経路に関連する情報に基づいて算出される数値であって、案内処理においてその経路を推奨する度合の指標となる数値である。
【００３６】
例えば、図５に示す例では、経路情報データベース３３には、経路情報ＩＤ「経路情報＃１」、移動経路情報「経路Ａ」、およびスコア「３０」といった情報が登録されている。このような情報は、経路情報ＩＤ「経路情報＃１」が示す経路が「経路Ａ」であり、「経路Ａ」のスコアが「３０」である旨を示す。
【００３７】
図２に戻り、説明を続ける。案内情報データベース３４には、案内処理を行う際に用いる各種のデータが登録される。例えば、案内情報データベース３４には、一般道路や高速道路等の車道等、車両が通行可能な経路を示す移動経路情報が登録されている。より具体的には、案内情報データベース３４には、ある地点からある地点までの車道を示すデータであって、グラフ構造を構成するデータ、すなわち、ポリラインの集合を含むデータや、案内処理において出力される地図データ、音声データ等が格納されている。なお、案内情報データベース３４に登録されるデータは、公知の案内処理に用いられる各種のデータが採用可能であるものとする。
【００３８】
制御部４０は、例えば、コントローラ（controller）であり、ＣＰＵ（Central  Processing  Unit）、ＭＰＵ（Micro  Processing  Unit）、ＡＳＩＣ（Application  Specific  Integrated  Circuit）やＦＰＧＡ（Field  Programmable  Gate  Array）等によって、情報配信装置１０内部の記憶装置に記憶されている各種プログラムが、ＲＡＭ等の記憶領域を作業領域として実行されることにより実現される。図２に示す例では、制御部４０は、収集部４１、取得部４２、評価部４３、および提供部４４（以下、総称して各処理部４１〜４４と記載する場合がある。）を有する。
【００３９】
なお、制御部４０が有する各処理部４１〜４４の接続関係は、図２に示した接続関係に限られず、他の接続関係であってもよい。また、各処理部４１〜４４は、以下に説明するような評価処理および案内処理の機能・作用（例えば図１）を実現・実行するものであるが、これらは説明のために整理した機能単位であり、実際のハードウェア要素やソフトウェアモジュールとの一致は問わない。すなわち、以下の評価処理および案内処理の機能・作用を実現・実行することができるのであれば、情報配信装置１０は、任意の機能単位で評価処理および案内処理を実現・実行して良い。
【００４０】
〔２−２．情報配信装置が実行する処理の作用効果の一例〕
以下、図６〜図８に示すフローチャートを用いて、各処理部４１〜４４が実行・実現する評価処理および案内処理の内容について説明する。図６は、実施形態に係る情報配信装置が利用者の特徴を示す特徴情報を取得する処理の流れの一例を示すフローチャートである。図７は、実施形態に係る情報配信装置が実行する評価処理の流れの一例を示すフローチャートである。図８は、実施形態に係る情報配信装置が実行する案内処理の流れの一例を示すフローチャートである。
【００４１】
〔２−３．特徴情報を取得する処理における作用効果の一例〕
まず、図６を用いて、特徴情報を取得する処理の流れの一例について説明する。まず、収集部４１は、各利用者の移動情報を収集する（ステップＳ１０１）。例えば、図１に示す例では、収集部４１は、プローブとなる端末装置１０１〜１０４が所定の時間間隔で取得した位置と、位置を取得した日時とを示す移動情報を、端末装置１０１〜１０４から所定のタイミングで収集する（図１中ステップＳ１）。例えば、収集部４１は、地点Ａから地点Ｂまで経路Ａを介して移動した利用者Ｕ０１、Ｕ０２の移動情報を、端末装置１０１、１０２から収集する。また、収集部４１は、地点Ａから地点Ｂまで経路Ｂを介して移動した利用者Ｕ０３、Ｕ０４の移動情報を、端末装置１０３、１０４から収集する。そして、収集部４１は、各利用者の移動情報を移動情報データベース３２に登録する（ステップＳ１０２）。
【００４２】
〔２−４．評価処理における作用効果の一例〕
次に、図７を用いて、評価処理の流れの一例について説明する。まず、取得部４２は、移動情報に基づいて、各経路を移動した利用者を特定する（ステップＳ２０１）。例えば、収集部４１が各端末装置１００から収集した移動情報には、端末装置１００が所定の時間間隔で取得した位置情報や位置情報を取得した日時等が含まれており、このような位置情報からは、利用者Ｕがどの経路をどのような移動態様（例えば、速度や車線変更の有無、障害物の回避等を行ったか否か）で移動したかを特定することができる。そこで、取得部４２は、移動情報に基づいて、各経路を移動した利用者を特定する（図１中ステップＤ２）。
【００４３】
例えば、取得部４２は、案内情報を参照し、処理対象となる経路Ａを選択する。このような場合、取得部４２は、移動情報データベース３２に登録された移動情報を参照し、経路Ａを介して移動した旨を示す移動情報と対応付けられた利用者を特定する。
【００４４】
続いて、取得部４２は、特定した利用者の運転能力を特定する（ステップＳ２０２）。例えば、取得部４２は、経路Ａを介して移動した利用者Ｕの運転能力を示す情報である運転能力スコアを取得する。例えば、取得部４２は、経路Ａを介して移動した利用者Ｕ０１、Ｕ０２の利用者ＩＤを外部サーバ２００へと送信することで、運転能力診断の結果を要求する（図１中ステップＳ３）。この結果、取得部４２は、利用者Ｕ０１、Ｕ０２の運転能力スコアを取得する（図１中ステップＳ４）。
【００４５】
すなわち、取得部４２は、利用者Ｕの運転に関連する特徴に基づいて生成された運転能力を示す情報を取得する。なお、取得部４２は、利用者Ｕの走行距離や免許種別等、運転に関する各種の特徴を示す情報を取得する。そして、取得部４２は、取得した各情報を特徴情報データベース３１に登録する。また、取得部４２は、経路Ｂを移動した利用者Ｕ０３、Ｕ０４の運転能力スコアについても取得し、特徴情報データベース３１に登録する。
【００４６】
続いて、評価部４３は、特定した運転能力に基づいて、経路の質を示すスコアを算出する（ステップＳ２０３）。例えば、評価部４３は、経路Ａを移動した利用者Ｕ１０１、１０２の運転能力スコアに基づいて、経路Ａの質を示すスコアを算出し、経路Ｂを移動した利用者Ｕ３、４の運転能力スコアに基づいて、経路Ｂの質を示すスコアを算出する（図１中ステップＳ５）。すなわち、評価部４３は、利用者Ｕの特徴情報である運転能力スコアに応じて、利用者Ｕが移動した経路の質を評価する。
【００４７】
例えば、地点Ａから地点Ｂまで至る経路Ａと経路Ｂとが存在する場合に、利用者Ｕ０３、Ｕ０４よりも、利用者Ｕ０１、Ｕ０２の方が運転能力が高い場合、経路Ｂには運転を行う上での問題があると考えられる。すなわち、利用者Ｕ０１、Ｕ０２の運転能力が高い場合、利用者Ｕ０１、Ｕ０２が選択しなかった経路Ｂには、運転が乱暴な利用者が多くいる、法定速度が守られていないといった経路上を移動する利用者に関する問題があるとも推定される。また、利用者Ｕ０１、Ｕ０２が選択しなかった経路Ｂには、未舗装区画がある、道路に凹凸がある、事故多発地点がある、見通しが悪い区間があるなどの物理的な問題があるとも推定される。
【００４８】
そこで、情報配信装置１０は、運転能力等、利用者Ｕの要素に基づいて、選択対象となる経路Ａおよび経路Ｂの評価を行う。例えば、評価部４３は、ある経路を介して移動した利用者Ｕの運転能力が所定の閾値以上となる場合は、その経路の質を示すスコアの値を加点する。一方、評価部４３は、利用者Ｕの運転能力が所定の閾値よりも低い場合は、その経路の質を示すスコアの値を減点する。
【００４９】
例えば、評価部４３は、利用者Ｕ０１、Ｕ０２の運転能力スコアの平均値を算出し、算出した平均値の値が所定の閾値以上となる場合は、利用者Ｕ０１、Ｕ０２が移動した経路Ａのスコアの値に所定の値（例えば、１０ポイント）等を加算する。一方、例えば、評価部４３は、利用者Ｕ０３、Ｕ０４の運転能力スコアの平均値を算出し、算出した平均値の値が所定の閾値よりも低い場合は、利用者Ｕ０３、Ｕ０４が移動した経路Ｂのスコアの値から所定の値（例えば、１０ポイント）等を減算する。
【００５０】
なお、評価部４３は、例えば、利用者Ｕ０１、Ｕ０２の運転能力スコアの平均値の値が所定の閾値以上となる場合は、運転能力スコアの平均値の値から所定の閾値を減算した値を算出し、利用者Ｕ０１、Ｕ０２が移動した経路Ａのスコアの値に算出した値を加算してもよい。また、評価部４３は、算出した値に基づく値をスコアに加算してもよい。すなわち、評価部４３は、経路Ａを移動した利用者Ｕの運転能力スコアの値が高い程、経路Ａのスコアの値が高くなるように、スコアの算出を行ってもよい。
【００５１】
また、評価部４３は、利用者Ｕの運転能力スコアの値に基づいて、経路Ａや経路Ｂのスコアを算出するのであれば、任意の算出手法を用いてもよい。例えば、運転能力スコアの値が高い利用者が多く利用する経路は、問題が少ないと考えられる。そこで、評価部４３は、所定の経路を移動した複数の利用者のうち、運転能力スコアが所定の閾値よりも高い利用者の数が所定の条件を満たす場合は、所定の経路の質を示すスコアの値を加点してもよい。例えば、評価部４３は、経路Ａを移動した利用者Ｕのうち、運転能力スコアの値が所定の閾値を超える利用者Ｕが所定の人数以上存在する場合は、経路Ａのスコアに所定の値を加点してもよい。
【００５２】
なお、例えば、評価部４３は、経路Ｂを移動した利用者Ｕのうち、運転能力スコアの値が所定の閾値以下となる利用者Ｕが所定の人数以上存在する場合は、経路Ｂのスコアから所定の値を減点してもよい。また、評価部４３は、運転能力スコアの値が所定の閾値を超える利用者Ｕが所定の回数以上、経路Ａを移動している場合には、経路Ａのスコアに所定の値を加点してもよく、運転能力スコアの値が所定の閾値以下となる利用者Ｕが所定の回数以上、経路Ｂを移動している場合には、経路Ｂのスコアから所定の値を減点してもよい。
【００５３】
ここで、各経路を移動する利用者は、曜日や午前、午後等の時間帯に応じて変化すると予測される。そこで、評価部４３は、所定の経路を所定の時間帯に移動した利用者の特徴情報に基づいて、所定の時間帯における経路の質を評価してもよい。すなわち、評価部４３は、時間帯ごとに各経路のスコアを算出してもよい。例えば、評価部４３は、移動情報から、所定の曜日の午前中に経路Ａを移動した利用者Ｕを特定し、特定した利用者Ｕの運転能力スコアから、所定の曜日の午前中における経路Ａのスコアを算出してもよい。このような経路Ａのスコアは、その所定の曜日の午前中に移動する経路の案内情報を要求された際に、経路Ａを提供する優先度の算出に用いられる。
【００５４】
なお、評価部４３は、上述した処理に関わらず、所定の経路を移動した利用者Ｕの運転能力スコアの値が高いほど、所定の経路の質を示すスコアの値を高くし、所定の経路を移動した利用者Ｕの運転能力スコアの値が低いほど、所定の経路の質を示すスコアの値を低くすればよい。また、評価部４３は、運転能力スコアの値に基づいて利用者のレーティングを行い、レーティングの結果に基づいて、所定の経路の質を示すスコアの値を算出してもよい。
【００５５】
このように、評価部４３は、所定の経路を移動した複数の利用者Ｕの運転能力スコア、すなわち、利用者Ｕの運転に関する特徴に基づく特徴情報を総合的に勘案して、所定の経路の質を評価する。そして、評価部４３は、算出したスコアを経路情報データベース３３に登録する（ステップＳ２０４）。
【００５６】
〔２−５．案内処理における作用効果の一例〕
次に、図８を用いて、案内処理の流れの一例について説明する。例えば、図１に示すように、提供部４４は、利用者Ｕ１０が利用する端末装置１１０から、地点Ａを出発地とし、地点Ｂを目的地とする案内情報の要求を受付ける（図１中ステップＳ６）。このような場合、提供部４４は、算出した各経路のスコアに応じて、提供する経路を選択する（図１中ステップＳ７）。そして、提供部４４は、案内情報を端末装置１１０に提供する（図１中ステップＳ８）。
【００５７】
例えば、提供部４４は、目的地である地点Ｂまでの経路候補として、経路Ａおよび経路Ｂを抽出する（ステップＳ３０１）。このような場合、提供部４４は、経路情報データベース３３を参照し、経路候補である経路Ａのスコアと経路Ｂのスコアとを読み出す（ステップＳ３０２）。そして、提供部４４は、スコアに基づいて、経路を決定する（ステップＳ３０３）。例えば、提供部４４は、経路Ａと経路Ｂとのうち、スコアの値がより大きい経路、例えば、経路Ａを優先的に選択する。そして、提供部４４は、決定した経路Ａを示す案内情報を生成し、生成した案内情報を端末装置１００に配信することで、決定した経路Ａを利用者に提供する（ステップＳ３０４）。
【００５８】
なお、提供部４４は、経路Ａや経路Ｂの質を示すスコアだけではなく、各経路を介して移動した際の所要時間、各経路における運転のしやすさ、渋滞の有無等、案内処理において経路を選択する際に用いる各種の要素を考慮して、提供する経路を選択してもよい。すなわち、提供部４４は、各経路の質を示すスコアを、案内処理において経路を選択する優先度を示す指標の一つとして用いる。
【００５９】
〔３．変形例〕
上述した実施形態に係る情報配信装置１０は、上記実施形態以外にも種々の異なる形態にて実施されてよい。そこで、以下では、上記の情報配信装置１０の他の実施形態について説明する。
【００６０】
〔３−１．利用者の特徴情報について〕
上述した情報配信装置１０は、利用者の運転態様、走行距離、免許種別、経過日数等に基づいて外部サーバ２００が算出した運転能力スコアを用いて、経路の質を示すスコアを算出した。しかしながら、実施形態は、これに限定されるものではない。例えば、情報配信装置１０は、利用者の移動情報から、利用者の運転態様を推定し、推定した運転態様に基づいて、運転能力スコアを算出してもよい。例えば、情報配信装置１０は、移動態様に基づいて、急な加減速の有無、車線変更の頻度、急ハンドルの頻度、平均的な移動速度等に基づいて、運転能力スコアを算出してもよい。また、情報配信装置１０は、走行距離、免許種別、経過日数等に基づいて、運転能力スコアを算出してもよい。
【００６１】
より具体的な例を挙げると、情報配信装置１０は、利用者Ｕの走行距離が所定の閾値よりも多く、かつ、免許種別が「優良」である場合は、所定の閾値よりも高い運転能力スコアを算出してもよい。また、情報配信装置１０は、利用者Ｕが自動二輪免許、大型二種免許、大型特殊自動車の免許等を有する場合は、所定の閾値よりも高い運転能力スコアを算出してもよい。
【００６２】
また、情報配信装置１０は、案内処理の結果に基づいて、利用者Ｕの運転能力スコアを算出してもよい。例えば、情報配信装置１０は、利用者Ｕ１０が経路Ａを介して移動した際の所要時間と平均的な移動速度とを特定する。そして、情報配信装置１０は、特定した所要時間が所定の基準となる時間よりも短く、かつ、特定した移動速度が法定速度の範囲内である場合は、所定の閾値よりも高い運転能力スコアを算出してもよい。なお、上述した各例に拘らず、情報配信装置１０は、利用者Ｕの性別、年代、趣味趣向等の各種特徴に基づいて、運転能力スコアを算出してもよい。
【００６３】
なお、情報配信装置１０は、上述した要素以外にも、任意の要素に基づいて、利用者Ｕの運転に関する特徴を示す運転能力スコアを算出してよい。例えば、情報配信装置１０は、ナビゲーションサービスの利用頻度が高い程、利用者Ｕの運転能力スコアを低い値にしてもよい。また、情報配信装置１０は、利用者Ｕの運転能力スコアを時間帯ごとに算出し、算出した時間帯ごとの運転能力スコアを用いて、経路の質を示すスコアを算出してもよい。
【００６４】
また、情報配信装置１０は、利用者Ｕの移動情報に基づいて、プライベートでの移動における移動態様と、業務での移動における移動態様とを特定する。例えば、情報配信装置１０は、利用者Ｕの移動情報のうち、昼間に取得された移動情報に基づいて、業務での移動における移動態様を特定し、夜間に取得された移動態様に基づいて、プライベートでの移動における移動態様を特定する。そして、情報配信装置１０は、業務での移動における移動態様に基づいて、業務での移動における運転能力スコアを算出し、プライベートでの移動における移動態様に基づいて、プライベートでの移動における運転能力スコアを算出する。そして、情報配信装置１０は、夜間に移動する経路の案内情報を要求された場合は、各経路を夜間に移動した利用者の運転能力スコアであって、夜間の運転能力スコア（すなわち、プライベートでの運転能力スコア）に基づき、各経路の質を示すスコアを算出してもよい。
【００６５】
また、情報配信装置１０は、各利用者Ｕが頻繁に移動する経路を含む地域の情報に基づいて、運転能力スコアを算出してもよい。例えば、高級住宅街を頻繁に移動する利用者Ｕは、比較的安全運転を行う結果、運転能力が高いとも考えられる。そこで、情報配信装置１０は、各利用者Ｕが頻繁に移動する経路を含む地域の地価、区画の大小、地域の区分等といった各種特徴に基づいて、利用者Ｕの運転能力スコアを算出してもよい。すなわち、情報配信装置１０は、利用者Ｕの任意の特徴を示す特徴情報に基づき、運転能力スコアを算出してよい。
【００６６】
〔３−２．経路の提供結果に基づくスコアの算出について〕
上述した情報配信装置１０は、利用者Ｕの各種特徴に基づいて、運転能力スコアを算出し、算出した運転能力スコアに基づいて、利用者Ｕが移動した経路の質を示すスコアを算出した。しかしながら、実施形態は、これに限定されるものではない。以下、情報配信装置１０が経路の質を示すスコアを算出する処理のバリエーションについて説明する。
【００６７】
〔３−２−１．移動経路の重複について〕
例えば、案内処理において経路Ａが提供された複数の利用者Ｕのうち、過半数の利用者Ｕが迷った場合は、経路Ａが迷い易い経路若しくは運転がし辛い経路であり、案内処理における質があまり良くないとも考えられる。そこで、情報配信装置１０は、移動情報に基づいて、案内処理において所定の経路が提供された複数の利用者Ｕのうち、所定の数の利用者Ｕが所定の経路に含まれる区間を複数回移動したか否かを判定する。そして、情報配信装置１０は、所定の数の利用者Ｕが所定の経路に含まれる区間を複数回移動していた場合は、所定の経路のスコアを減点してもよい。
【００６８】
また、情報配信装置１０は、利用者の運転能力と、経路に含まれる区間を複数回移動したか否かとに基づいて、経路のスコアを算出してもよい。例えば、運転能力が低い利用者は、運転能力が高い利用者と比較して、迷ったり誤った経路に進んだり（すなわち、提供された経路から離れたり）することが多いと考えられる。そこで、情報配信装置１０は、利用者Ｕの運転能力スコアと、利用者Ｕの移動履歴を示す移動情報とを取得する。そして、情報配信装置１０は、運転能力スコアが所定の閾値よりも低い利用者の移動情報が、所定の経路において同じ区間を複数回移動した旨を示す場合は、その所定の経路の質を示すスコアの値を減点してもよい。
【００６９】
一方で、運転能力が高い利用者が迷ったり誤った経路に進んだりした場合は、その経路は、運転が困難な経路であると考えられる。このように、運転が困難な経路は、案内処理において優先的に選択対象から除外されるのが望ましい。そこで、情報配信装置１０は、運転能力スコアが所定の閾値よりも高い利用者の移動情報と、運転能力スコアが所定の閾値よりも低い利用者の移動情報とが、所定の経路において同じ区間を複数回移動した旨を示す場合は、その所定の経路の質を示すスコアの値を第１所定値だけ減点する。また、情報配信装置１０は、運転能力スコアが所定の閾値よりも高い利用者の移動情報が、所定の経路において同じ区間を複数回移動した旨を示さず、運転能力スコアが所定の閾値よりも低い利用者の移動情報が、所定の経路において同じ区間を複数回移動した旨を示す場合は、その所定の経路の質を示すスコアの値を第１所定値よりも少ない第２所定値だけ減点してもよい。すなわち、情報配信装置１０は、運転能力が高い利用者も運転能力が低い利用者も迷うような経路については、スコアの値を所定の値よりも大幅に減点し、運転能力が低い利用者のみが迷うような経路については、スコアの値を所定の値だけ減点してもよい。
【００７０】
〔３−２−２．運転能力の差による移動態様の変化について〕
ここで、経路上の交差点やカーブ等において、運転能力が高い利用者が減速を行った一方で、運転能力が低い利用者が減速を行わなかった場合は、見通しが悪い箇所が存在する等、何らかの問題が経路上に存在するとも推定される。そこで、情報配信装置１０は、利用者Ｕの運転能力スコアと、利用者Ｕが移動した速度の履歴とを取得する。
【００７１】
そして、情報配信装置１０は、運転能力スコアが所定の閾値よりも高い利用者が経路に含まれるカーブの前や交差点等の所定の位置で移動速度を減速させ、かつ、運転能力スコアが所定の閾値よりも低い利用者が所定の位置で移動速度を減速させていない場合は、その経路に潜在的な問題があるものとして、その経路のスコアの値を減点してもよい。
【００７２】
〔３−２−３．移動態様の変化について〕
また、交差点、一時停止箇所、カーブ、下り坂等の所定の領域では、減速が行われる一方で、これら所定の領域以外の領域（例えば、道路しかない領域等）で減速が行われる場合は、経路上に穴が開いている、非舗装区間がある、野生動物や児童の飛び出しが起きやすい等、経路上に何かしらの問題があるとも推定される。そこで、情報配信装置１０は、利用者Ｕがある経路を移動した速度の履歴を取得し、その経路に含まれる所定の領域で、利用者Ｕが移動速度を減速させている場合は、その経路のスコアの値を減点してもよい。
【００７３】
より具体的な例を挙げると、情報配信装置１０は、信号が設置されている領域または道路が曲線を描く領域（すなわち、カーブ）以外の領域で、移動速度を減速させている場合は、経路の質を示すスコアの値を減点させてもよい。例えば、情報配信装置１０は、運転能力スコアの値が所定の値よりも高い利用者の多くが、所定の領域以外の領域で移動速度を減速させている場合は、経路の質を示すスコアの値を減点させてもよい。
【００７４】
〔３−２−４．リルートについて〕
例えば、運転能力スコアの値が所定の閾値よりも高い利用者Ｕ０１に対して、経路Ｂを示す案内情報を提供した際に、利用者Ｕ０１が経路Ｂではなく経路Ａを移動した場合、すなわち、リルートが行われた場合は、経路Ｂに何らかの問題があるとも考えられる。そこで、情報配信装置１０は、案内処理において利用者Ｕに経路を提供した際に、異なる経路を選択したか否かに応じて、提供した経路のスコアを算出してもよい。
【００７５】
例えば、情報配信装置１０は、利用者Ｕに対して経路を提供した際に、新たな経路が選択し直されたか否かを示す情報を取得し、所定の経路を選択した際に、新たな経路が選択し直されていた場合は、所定の経路の質を示すスコアの値を減点させてもよい。また、情報配信装置１０は、運転能力スコアの値が所定の閾値よりも高い利用者Ｕが経路を選択し直していた場合にのみ、選択し直す前に提供していた所定の経路の質を示すスコアの値を減点させてもよい。また、情報配信装置１０は、選択し直された後の経路の質を示すスコアの値に加点してもよい。
【００７６】
なお、情報配信装置１０は、利用者Ｕが経路を選択しなおした際に、新たな経路の提供を行う必要はない。例えば、情報配信装置１０は、移動情報から、利用者Ｕが利用者Ｕに提供した経路とは異なる経路を移動しているか否かを判定し、提供した経路とは異なる経路を移動している場合は、提供した経路の質を示すスコアの値を減点させればよい。
【００７７】
また、情報配信装置１０は、運転能力スコアの値とリルートの有無とに基づいて、経路の質を示すスコアの値を算出してもよい。例えば、情報配信装置１０は、運転能力スコアの値が所定の閾値よりも高い利用者Ｕが経路を選択し直していた場合は、選択し直す前に提供していた所定の経路の質を示すスコアの値を大幅に減点させてもよい。また、情報配信装置１０は、運転能力スコアの値が所定の閾値よりも高い利用者Ｕにある経路を提供した際に、利用者Ｕがその経路を移動した場合には、その経路の質を示すスコアの値を大幅に加点させてもよい。また、例えば、情報配信装置１０は、運転能力スコアの値が所定の閾値よりも低い利用者Ｕが経路を選択し直していた場合は、選択し直す前に提供していた所定の経路の質を示すスコアの値を所定の値だけ減点させてもよい。
【００７８】
〔３−２−５．その他の要素について〕
なお、上述した要素以外にも、任意の要素に基づいて、情報配信装置１０は、経路の質を示すスコアの値を算出してよい。例えば、事故が多発する経路は、見通しが悪い、事故が生じやすい等の問題があるとも推定される。そこで、情報配信装置１０は、事故の発生場所を管理する外部サーバ等から、所定の経路において生じた事故の履歴を示す情報を取得する。そして、情報配信装置１０は、取得した情報に基づき、所定の経路において事故が生じた回数が所定の閾値を超えるか否かを判定し、事故が生じた回数が所定の閾値を超える場合は、その経路の質を示すスコアの値を減点してもよい。
【００７９】
また、路面に凹凸がある、非舗装区間があるなど、路面の品質が低い経路は、案内処理においてあまり提供すべきではないとも考えられる。そこで、情報配信装置１０は、利用者Ｕが使用する端末装置１００から、利用者Ｕが所定の経路を移動中に生じる振動を示す情報を取得する。例えば、情報配信装置１０は、端末装置１００が加速度センサ等を用いて取得した加速度を示す情報を取得し、取得した情報に基づいて、利用者Ｕが所定の経路を移動中に生じる振動の強さや頻度を特定する。そして、情報配信装置１０は、特定した振動の強さや頻度が所定の閾値を超える場合は、その経路の質を示すスコアの値を減点してもよい。
【００８０】
また、路面に凹凸がある場合や穴が開いている場合、落石がある場合、非舗装区間がある場合等には、移動速度が頻繁に変化するとも考えられる。そこで、情報配信装置１０は、移動情報から利用者Ｕの移動速度を取得し、所定の経路において、利用者Ｕが移動速度を変化させた回数が所定の閾値を超える場合は、その経路の質を示すスコアの値を減点してもよい。
【００８１】
なお、上述した説明に関わらず、情報配信装置１０は、経路上における任意の事象に応じて、任意の設定条件に基づき、経路の質を示すスコアを算出してもよい。
【００８２】
〔３−３．運転能力スコアの推定について〕
例えば、情報配信装置１０は、ＳＮＳ（Social  Networking  Service）に投稿した運転に関する内容の情報等、ネットワーク上に投稿した情報の内容から、利用者Ｕ０１の運転能力等といった運転に関する特徴を推定し、推定した特徴に基づく運転能力スコアを生成してもよい。例えば、情報配信装置１０は、「速い車が怖い」等といった内容の情報を利用者Ｕ１０が投稿していた場合は、利用者Ｕ１０の運転能力スコアがあまり高くないものと推定してもよい。
【００８３】
また、情報配信装置１０は、上述した各種の特徴以外にも、例えば、利用者Ｕの運転する車両の排気量、車種等に応じて、運転能力スコアを算出してもよい。例えば、情報配信装置１０は、利用者Ｕが優良運転者であり、排気量が大きい車両を運転している場合は、運転能力スコアが高いと推定してもよい。
【００８４】
〔３−４．案内処理について〕
上述した例では、情報配信装置１０は、車両の運転時に経路を提供する案内処理を実行した。しかしながら、実施形態は、これに限定されるものではない。例えば、情報配信装置１０は、自転車や自動二輪車等、車道を介して移動する際の移動経路を提供するナビゲーションサービスに上述した評価処理を適用してもよい。また、情報配信装置１０は、宅配ロボットや自動運転システム等に対して経路を提供する場合に、上述した評価処理を実行してもよい。
【００８５】
〔３−５．経路について〕
なお、情報配信装置１０は、任意の区間を経路として設定可能である。すなわち、情報配信装置１０は、地点Ａや地点Ｂとして、任意の位置を設定してよい。例えば、情報配信装置１０は、所定の交差点から他の交差点の間を経路として設定してもよく、任意のある地点からある地点までの区間を経路として設定してもよい。また、情報配信装置１０は、案内処理において用いられる経路の単位に基づいて、移動経路とする範囲を設定してもよい。例えば、案内情報データベース３４には、交差点や高速道路の入り口、インターチェンジ等、移動の分岐となる分岐点をノードとし、分岐点と分岐点とを結ぶ道路や車線をリンクとするデータが含まれる場合がある。このような場合、情報配信装置１０は、あるノードと対応する分岐点から他のノードと対応する分岐点までの経路ごとに経路情報を生成してもよい。すなわち、情報配信装置１０は、所定の出発地から所定の目的地まで、利用者が移動した経路を移動経路とするのであれば、任意の区間を移動経路に設定して良い。
【００８６】
また、情報配信装置１０は、出発地から目的地へと至る複数の経路がそれぞれ複数の区画によって構成され、各区画ごとに経路情報が設定されている場合、経路を構成する各区画ごとに利用者Ｕの特徴情報との一致度を示すスコアを算出し、算出したスコアの合計が最も高い経路を提供してもよい。
【００８７】
〔３−６．その他〕
また、上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００８８】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８９】
また、上記してきた各実施形態は、処理内容を矛盾させない範囲で適宜組み合わせることが可能である。
【００９０】
〔３−７．プログラム〕
また、上述した実施形態に係る情報配信装置１０は、例えば図９に示すような構成のコンピュータ１０００によって実現される。図９は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００９１】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ（Hard  Disk  Drive）、フラッシュメモリ等により実現される。
【００９２】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００９３】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００９４】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００９５】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００９６】
例えば、コンピュータ１０００が情報配信装置１０として機能する場合、コンピュータ１０００の演算装置１０３０は、一次記憶装置１０４０上にロードされたプログラムを実行することにより、制御部４０の機能を実現する。
【００９７】
〔４．効果〕
上述したように、情報配信装置１０は、利用者Ｕの特徴を示す特徴情報を取得する。そして、情報配信装置１０は、特徴情報に基づいて、その利用者Ｕが移動した経路の質を評価する。このように、情報配信装置１０は、例えば、運転能力等といった利用者側の要素に基づいて、利用者が移動した経路の質を評価するので、実地調査等を行わずとも、利用者に対して提供される経路の質を容易に評価することができる。
【００９８】
また、情報配信装置１０は、例えば、経路Ａを移動した複数の利用者Ｕの特徴情報に基づいて、経路Ａの質を評価する。より具体的な例を挙げると、情報配信装置１０は、特徴情報として、運転能力スコア等、利用者Ｕの運転能力を示す情報を取得し、特徴情報が示す運転能力に応じて、その利用者Ｕが移動した経路の質を評価する。例えば、情報配信装置１０は、特徴情報が示す運転能力が所定の閾値よりも高い場合は、経路の質を示すスコアの値を加点し、特徴情報が示す運転能力が所定の閾値よりも低い場合は、経路の質を示すスコアの値を減点する。また、情報配信装置１０は、経路Ａを移動した複数の利用者Ｕのうち、特徴情報が示す運転能力が所定の閾値よりも高い利用者Ｕの数が所定の条件を満たす場合は、経路Ａの質を示すスコアの値を加点する。
【００９９】
このように、情報配信装置１０は、運転能力が高い利用者が用いる経路、すなわち、質が高いと推定される経路のスコアの値を上昇させる。この結果、情報配信装置１０は、質が高いと推定される経路を案内処理において優先的に選択させることができるので、案内処理において適切な経路を選択する精度を向上させることができる。
【０１００】
また、情報配信装置１０は、走行距離や免許種別、免許を取得してから経過した日時等、利用者Ｕの運転に関連する特徴に基づいて生成された運転能力を示す情報、すなわち、運転能力スコアを取得する。このため、情報配信装置１０は、より適切な経路を選択する精度を向上させることができる。
【０１０１】
また、情報配信装置１０は、経路Ａを所定の時間帯に移動した利用者Ｕの特徴情報に基づいて、その所定の時間帯における経路の質を評価する。このため、情報配信装置１０は、案内処理において適切な経路を時間帯ごとに選択させることができる。
【０１０２】
また、情報配信装置１０は、利用者Ｕの運転能力を示す特徴情報と、利用者Ｕの移動履歴とを取得し、特徴情報が示す運転能力が所定の閾値よりも低い利用者Ｕの移動履歴が、経路Ａにおいて同じ区間を複数回移動した旨を示す場合は、経路Ａの質を示すスコアの値を減点する。この結果、情報配信装置１０は、迷い易い経路の質を示すスコアの値を減少させる結果、案内処理において迷い易い経路が選択される頻度を減少させることができる。
【０１０３】
また、情報配信装置１０は、特徴情報が示す運転能力が所定の閾値よりも高い利用者Ｕの移動履歴と、特徴情報が示す運転能力が所定の閾値よりも低い利用者Ｕの移動履歴とが、経路Ａにおいて同じ区間を複数回移動した旨を示す場合は、経路Ａの質を示すスコアの値を第１所定値だけ減点し、特徴情報が示す運転能力が所定の閾値よりも高い利用者Ｕの移動履歴が、経路Ａにおいて同じ区間を複数回移動した旨を示さない場合は、経路Ａの質を示すスコアの値を第１所定値よりも少ない第２所定値だけ減点する。このように、情報配信装置１０は、運転能力が高い利用者も迷う経路が案内処理において選択される頻度を大幅に減少させる結果、案内処理においてより適切な経路を選択させることができる。
【０１０４】
また、情報配信装置１０は、利用者Ｕの運転能力を示す特徴情報と、利用者Ｕが移動した速度の履歴とを取得する。そして、情報配信装置１０は、特徴情報が示す運転能力が所定の閾値よりも高い利用者Ｕが経路Ａに含まれる所定の位置で移動速度を減速させ、かつ、特徴情報が示す運転能力が所定の閾値よりも低い利用者Ｕが所定の位置で移動速度を減速させていない場合は、経路Ａの質を示すスコアの値を減点する。
【０１０５】
また、情報配信装置１０は、利用者Ｕが移動した速度の履歴をさらに取得し、例えば、経路Ａに含まれる所定の領域で、利用者Ｕが移動速度を減速させている場合は、経路Ａの質を示すスコアの値を減点する。より具体的には、情報配信装置１０は、所定の領域として、信号が設置されている領域または道路が曲線を描く領域以外の領域で、利用者Ｕが移動速度を減速させている場合は、経路Ａの質を示すスコアの値を減点する。
【０１０６】
また、情報配信装置１０は、利用者Ｕに対して経路を提供した際に、新たな経路が選択し直されたか否かを示す情報を取得し、経路Ａを提供した際に、新たな経路が選択し直されていた場合は、経路Ａの質を示すスコアの値を減点する。
【０１０７】
また、情報配信装置１０は、経路Ａにおいて生じた事故の履歴を示す情報を取得し、経路Ａにおいて事故が生じた回数が所定の閾値を超える場合は、経路Ａの質を示すスコアの値を減点する。また、情報配信装置１０は、利用者Ｕが使用する端末装置１００から、その利用者Ｕが経路Ａを移動中に生じる振動を示す情報を取得し、経路Ａを走行中に生じる振動が所定の閾値を超える場合は、経路Ａの質を示すスコアの値を減点する。また、情報配信装置１０は、利用者Ｕが移動した速度の履歴をさらに取得し、経路Ａに含まれる所定の領域で、利用者Ｕが移動速度を変化させた回数が所定の閾値を超える場合は、経路Ａの質を示すスコアの値を減点する。
【０１０８】
上述した各処理の結果、情報配信装置１０は、潜在的あるいは顕在的な問題がある経路が選択される頻度を減少させることができるので、案内処理においてより適切な経路を選択する精度を向上させることができる。
【０１０９】
また、情報配信装置１０は、案内処理においてその経路を推奨する度合の指標となる数値を経路の質として算出する。このため、情報配信装置１０は、案内処理においてより適切な経路を選択する精度を向上させることができる。
【０１１０】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１１】
また、上記してきた「部（section、module、unit）」は、「手段」や「回路」などに読み替えることができる。例えば、評価部は、評価手段や評価回路に読み替えることができる。
【符号の説明】
【０１１２】
１０  情報配信装置
２０  通信部
３０  記憶部
３１  特徴情報データベース
３２  移動情報データベース
３３  経路情報データベース
３４  案内情報データベース
４０  制御部
４１  収集部
４２  取得部
４３  評価部
４４  提供部
１００  端末装置
２００  外部サーバ
【図１】
2018101287.tif 000003
【図２】
2018101287.tif 000004
【図３】
2018101287.tif 000005
【図４】
2018101287.tif 000006
【図５】
2018101287.tif 000007
【図６】
2018101287.tif 000008
【図７】
2018101287.tif 000009
【図８】
2018101287.tif 000010
【図９】
2018101287.tif 000011